(57)【特許請求の範囲】
【請求項１】
ほぼ前方に突出しているまびさしと、調節可能な頭バンドと、被りシートとを備えた被り物であって、前記頭バンドが前記まびさしの後縁に又は該後縁の近辺で該まびさしに取付けられ又は取付け可能であり、前記被りシートが前記まびさしに取付けられ又は取付け可能であり、かつ、前記まびさし側から後方に延びており、前記被りシートが使用者の頭部を覆って使用者の頭部から使用者の肩と首とのあたりに垂れ下がるように前記まびさしを使用者の頭部上に配置することができ、前記まびさしが使用者の頭部に正しく保持されるように前記頭バンドを、使用者の頭部の後回りに位置するように位置決めすることが可能であり、前記被りシートが１つ以上の係止手段を備え、前記係止手段により前記被りシートが、使用者の首回り及び、又は顔面を保護するために調節又は整姿されることができ、前記被りシートが使用者の首まわり及び、又は頭部及び、又は顔面の前方の複数の位置に引張られ、かつ、使用者が望む複数の姿で外し可能に互いに接合されるように前記係止手段が前記被りシートに配設されていることを特徴とする被り物。
【請求項２】
複数の係止手段が被りシートの最低位置端縁と同両側縁との各付近に設けられて、前記被り物が使用者の頭部に正しく被られている際に、前記両側縁が引寄せられ一緒に接合されて使用者を保護することを特徴とする請求の範囲第１項に記載の被り物。
【請求項３】
被りシートの両側が、調節又は整姿を行うことにより、使用者の首まわり及び、又は頭部及び、又は顔面を保護するために部分的に重なり合うように形成されていることを特徴とする請求の範囲第１項又は第２項に記載の被り物。
【請求項４】
前記係止手段が、かぎ・わなタイプ面ファスナの形態で設けられていることを特徴とする請求の範囲第１項ないし第３項のいずれかに記載の被り物。
【請求項５】
前記被りシートが柔軟な、或は曲り易い材質のものであり、使用者の頭部の頂部に適合でき、該頂部から垂れ下がることができることを特徴とする請求の範囲第１項ないし第４項のいずれかに記載の被り物。
【請求項６】
被りシートの両側が、まびさしの両側を越えてまびさしから、使用者の顔面の両側を覆って垂下がるように被りシートがまびさしに取付けられていることを特徴とする請求の範囲第１項ないし第５項のいずれかに記載の被り物。
【請求項７】
前記頭バンドの長さを調節して使用者の頭部の寸法に適合させることができるように前記頭バンドが調節手段を有することを特徴とする請求の範囲第１項ないし第６項のいずれかに記載の被り物。
【請求項８】
前記頭バンドの前記調節手段が、外し可能でありかつ、調節可能である接合部を有し、前記接合部によって前記帯が二つの部分に離され次いで再接合されて該帯の長さを調節し、使用者の頭部に適合し得ることを特徴とする請求の範囲第７項に記載の被り物。
【請求項９】
前記頭バンドが部分的にかぎ・わなタイプ面ファスナ手段から形成されていることにより前記頭バンドの長さが調節できることを特徴とする請求の範囲第８項に記載の被り物。
【請求項１０】
外し可能に前記被りシートを前記頭バンドに付け得る１つ以上の係止手段を前記被りシートが有することを特徴とする請求の範囲第１項ないし第９項のいずれかに記載の被り物。
【請求項１１】
外し可能に前記被りシートが前記頭バンドに付けられることを許す前記係止手段が、前記頭バンドにとめられ得る１つ以上のストラップの形態で設けられていることを特徴とする請求の範囲第10項に記載の被り物。
【請求項１２】
たわみにくい三日月形の材料で前記まびさしが形成され、使用者の額が、該三日月形のまびさしが描く凹曲部に収容されることを特徴とする請求の範囲第１項ないし第11項のいずれかに記載の被り物。
【請求項１３】
前記被りシートが、前記まびさしの後縁に、又は前記後縁の近辺で前記まびさしに取付けられていることを特徴とする請求の範囲第12項に記載の被り物。
【発明の詳細な説明】
技術分野
本発明は被り物に関する。とりわけ、本発明の被り物は、使用者を自然力、例えば太陽、風及び雨等から保護するために用いることを目的とする。
背景技術
典型的には、被り物、例えば縁なし帽子及び縁付き帽子等は頂部を有し、該頂部の中に使用者の頭部が収容される。被り者は更にまびさし又はつばを有する。まびさし又はつばは、使用者を太陽から保護することを目的としているが、しかしその効果は、まびさし又はつばの幅又は長さに依存し、更に、まびさし又はつばと太陽の位置との角度にも依存する。例えば使用者が、しばらく体を前に曲げている場合、太陽が頭上に位置しているならば縁付き帽子の周縁に設けられている典型的なつばは、使用者の項を保護しないであろう。更に、風及び雨に対する保護は、まびさし又はつばの典型的な構造によっては提供されない。
発明の開示
本発明の第１の態様においては、ほぼ前方に突出しているまびさし（peak or visor）と、調節可能な頭バンドと、被りシートとを備えた被り物であって、前記頭バンドが前記まびさしの後縁に又は該後縁の近辺で該まびさしに取付けられ又は取付け可能であり、前記被りシートが前記まびさしに取付けられ又は取付け可能であり、かつ、前記まびさし側から後方に延びており、前記被りシートが使用者の頭部を覆って使用者の頭部から使用者の肩と首とのあたりに垂れ下がるように前記まびさしを使用者の頭部上に配置することができ、前記まびさしが使用者の頭部に正しく保持されるように前記頭バンドを、使用者の頭部の後回りに位置するように位置決めすることが可能であり、前記被りシートが１つ以上の係止手段を備え、前記係止手段により前記被りシートが、使用者の首回り及び、又は顔面を保護するために調節又は整姿されることができ、前記被りシートが使用者の首まわり及び、又は頭部及び、又は顔面の前方の複数の位置に引張られ、かつ、使用者が望む複数の姿で外し可能に互いに接合されるように前記係止手段が前記被りシートに配設されていることを特徴とする被り物が提供される。
好ましくは、被りシートは、使用者の肩に達して、首を覆うのに充分な長さのものである。同被りシートは、その側部のどちらもが、使用者の頚及び、又は顔面の回りに引張り巡らせられることが可能であり、かつ、このような位置で、外し可能に係止されて頚及び、又は顔面を保護することができる程度の寸法のものであることが、更に好ましい。
更に好ましくは、複数の外し可能な係止手段が、被りシートの、いろいろな箇所に設けられている。
【図面の簡単な説明】
次に本発明を、例によるのみで添付図面を用いて説明する。
第１図は本発明による被り物の上面図、第２図は頭部に第１図の被り物を被りつつある使用者の斜視図、第３図は、第１図の被り物が使用者の頭部に被られた状態と、後頭部における頭バンドと、被りシートの一部分の幅とを示す背面図、第４図は第１図の被り物が使用者の頭部に正しく被られている状態を示す前面図、第５図は第１図の被り物に係止手段が取付けられこれにより被りシートが部分的に持上げられた状態に保持されている状態を示す背面図、第６図は第５図の被り物が、部分的に持上げられている被りシートを有する状態を示す前面図、第７図ないし第22図は被りシートの種々の形態を示し、これらの形態が、被りシートに配設されている外し可能な係止手段のいろいろな配置により実現されることを示す図、第23図は第１図の被り物が虫よけスクリーンを有しこれにより使用者の顔面が保護されている状態を示す前面図である。
発明を実施するための最良の形態
第１図ないし第22図には、まびさし12と、調節可能な頭バンド14と被りシート16とを有する被り物10が示されている。
まびさし12は、ほぼ三日月形に形成され、この三日月形状は、後縁の内側に凹曲部18を形成し、三日月形状の両横或は側端部20は、後方へ向かって突出している。第１図に明瞭に示されているように、頭バンド14の少なくとも一部が側端部20と側端部20とをつなぐように頭バンド14はまびさし12に取付けられている。
被りシート16は、まびさし12の後縁の近傍でまびさし12の上面に取付けられている。このような取付けは縫合により実現可能であるが、しかしこのことはいかなる面でも本発明の範囲を狭めるように理解されてはならない。第１図及び第２図に明瞭に示されているように、被りシート16は、まびさし12の上でギャザー或はプリーツをつくられている。ギャザーをよせてまびさし12に取付けられている被りシート16は、これ又まびさし12に取付けられている頭バンド14を覆っている。
被りシート16はまびさし12から垂れ下がっており、第２図に示されているように使用者の頭部26に正しく被られている場合には、ほぼ最も低い端縁22と側縁24とを有する。典型的には被りシート16の側縁24は、使用者の顔面28の両側に垂れている。第４図に明瞭に示されているように、最も低い端縁22は使用者の肩29に接してネックラインの下に垂れている。
複数の外し可能な係止手段30が、第1,4,6,7,9,11,12,14,16及び19図に示されているように被りシート16の種々の位置に設けられている。係止手段30を種々異なる個所に配置することにより、被りシート16を種々の姿で用いることが可能となる。
帯14の一部は、測端部20と側端部20との間に延在し、この部分には、外し可能な、かつ調節可能な接合部32が設けられ、これは第３図に示されている。接合部32によって帯14を二つの部分に離し、次いで再び接合することにより、帯14の長さを使用者の頭に適合させられる。帯14は、例えば商標名「Velcro」で販売されているもののような、かぎ・わなタイプ面ファスナ（hook and loop type fastener）の両要素を有する。複数の外し可能な係止手段30も、かぎ・わなタイプ面ファスナの両要素により形成されている。
第５図及び第６図に示されている被り物10には細長い係止用手段、例えばひも状物、すなわちストリップ34が、被りシート16のそれぞれの側に付加されている。帯14に取付けられている係止部材のフラップ36の後に挿入することによってストリップ34を帯14に保持させることができる。第６図に示されているように、このような方法によって、被りシート16の側縁24を、使用者の顔28から離して保持できる。
第７図に示されているように、外し可能な面ファスナ30が被りシート16に取付けられて、使用者の首回りを保護することができる。すなわち、２つの側縁24が使用者の顎の下方で接合される。
第９図及び第10図に示されている被り方では、被りシート16の２つの側縁24が互いに部分的に重なり合って、使用者の顔面28の大部分を覆う。ただし目は覆われない。２つの側縁24が部分的に重なるには、係止手段30が、側縁24及び端縁22から離れた箇所に設けられていることが必要である。
第11図ないし第13図に示されている被り方では、ただ４つの係止手段30を被りシートの側縁24と端縁22との付近に設けるだけで重ね合わせが可能となっており、２つの側縁24が使用者の顎の下方で接合される。このような配置では係止手段30が、測縁24と端縁22とがなす角部それぞれに設けられ、更に、側縁24から離れて端縁22に近接した箇所に設けられている。
第14図及び第15図の被り方では係止手段30は、第５図の細条片、すなわちストラップ34と組合わせられ、顔28の大部分が被覆される。被りシート16に、その側縁24を扱って形を与えることによって、とりわけ側縁24に沿って点38を設けることによってこのような被り方は容易に実現できる。更に、係止手段30は側縁24の点38に設けられ、端縁22に設けられ、更に、側縁24と端縁22とがなす角部に設けられる。
第16図及び第17図に示されている別の１つの被り方では側縁24が使用者の顎の下方で互いに接合され、顔面28は露出されたままであるが、頭部の側面と頚とは保護されている。第18図に示されているように、まびさし12を後方へ引いて頭から外すことにより、被り物10が使用者の首から垂下がるようにすることができる。
第19図及び第20図に示されている被りシート16の被り方では、被りシート16の両側端24が（矢印Ｘにより示されているように）巻上げられ、使用者の頭部26の背後で互いに接合されている。
被りシート16の、別の２つの可能な被り方が第21図及び第22図に示されている。第23図には使用者の顔面28を保護するために虫よけスクリーン40が取付けられた被り物10が示されている。
使用するときには、被り物10を自身の頭部に合わせようとする使用者は、被り物10のまびさし12を持ち、使用者の額が、まびさし12の後縁内の凹曲部18に合うように、まびさし12を位置決めする。第２図に示されているように、被りシート16は、使用者の頭部26の頂部に掛けられ、頂部26から使用者の首と肩29とのあたりに垂れ下がる。
第３図ないし第６図に示されているように、この時点で使用者は、使用者の頭部26の後回りで頭バンド14を調整して、被りシート16が頭部26の後部に接触し、事実上、被り物10のための冠状物を形成することができる。
頭バンド14の長さを使用者が調節することは、被り物10が使用者の頭部26に載せられる前に行うことも可能である。
次いで使用者は、第５図ないし第22図に示されているように、被りシート16をいろいろに扱うことにより被り物10を調節して、付加的に使用者の顔面28及び、又は首まわりを保護することができる。
使用者が昆虫から自身を守りたい場合、使用者は、第23図に示されているように、虫除けスクリーン40を被り物10に取付けることもできる。虫よけスクリーン40は使用者の顔面28を保護する。
被りシート16が柔軟な、或は曲がり易い軽い材質のものであることが意図されており、このような材質として、例えば、“Lycra"という商標名で市販されている繊維から織られたものがある。雨天での使用の場合、該被りシートは耐水性又は防水性のものでなければならない。１つ以上のポケットを被りシート16に設けて、それらの中に小物を入れて運ぶことを容易にすることも意図されている。被りシート16は、まびさし12の上面で必ずしもギャザーをつくる必要は無く、取り外し可能に又はその他の方法でまびさし12に取付けられてもよい。
「Velcro」（商標名）以外の調節可能ファスナ手段の形態を使用することも意図されており、このような形態には例えば、スナップ（press studs）、ボタン、或は、かぎフック（hooks and eyes）がある。更に、ストリップ34とフラップ36とをスナップ、ボタン、又は、かぎフックにより置換できる。更に、まびさし12は、所望ならば三日月形以外の形状のものであってもよい。
本発明の被り物は、太陽、風及び雨のような自然力に対する保護を提供する。
本明細書を読んで当業者が容易に想到する変更及び変型は、本発明の範囲内にあるものと考えられる。
【図２】
0003559563.tif 000002
【図１】
0003559563.tif 000003
【図５】
0003559563.tif 000004
【図３】
0003559563.tif 000005
【図４】
0003559563.tif 000006
【図６】
0003559563.tif 000007
【図７】
0003559563.tif 000008
【図８】
0003559563.tif 000009
【図９】
0003559563.tif 000010
【図１０】
0003559563.tif 000011
【図１１】
0003559563.tif 000012
【図１２】
0003559563.tif 000013
【図１３】
0003559563.tif 000014
【図１４】
0003559563.tif 000015
【図１５】
0003559563.tif 000016
【図１６】
0003559563.tif 000017
【図１７】
0003559563.tif 000018
【図１８】
0003559563.tif 000019
【図２０】
0003559563.tif 000020
【図１９】
0003559563.tif 000021
【図２１】
0003559563.tif 000022
【図２２】
0003559563.tif 000023
【図２３】
0003559563.tif 000024